(57)【要約】      （修正有）【課題】本体ユニットより外形が大きい表示ユニットを回転とチルト可能にし、横長の大画面を備える携帯端末を提供する。【解決手段】表示画面２１０と第１の操作部２２０を主面上に配した表示ユニット２００と、第２の操作部を主面上に配した本体ユニット３００と、本体ユニット３００に配され表示ユニット２００を支持するヒンジ４００とを備え、表示ユニット２００は本体ユニット３００の外形より大きく、表示ユニット２００の背面を本体ユニット３００の主面に重ねて配置され、ヒンジ４００により回転とチルトとを可能とし、本体ユニット３００の第２の操作部は表示ユニット２００の回転により露出されるよう構成する。【選択図】図１
2008099019.tif 000002
【特許請求の範囲】
【請求項１】
表示画面と第１の操作部とを主面上に配した表示ユニットと、
第２の操作部を主面上に配した本体ユニットと、
前記本体ユニットに配され、前記表示ユニットを支持するヒンジとを備え、
前記表示ユニットは前記本体ユニットの外形より大きく、該表示ユニットの背面を前記本体ユニットの主面に重ねて配置され、前記ヒンジにより回転とチルトとを可能とし、該本体ユニットの第２の操作部は該表示ユニットの回転により露出されること
を特徴とする携帯端末。
【請求項２】
前記表示ユニットの表示画面は、第１の表示画面と第２の表示画面の二つの表示画面から構成する
ことを特徴とする請求項１に記載の携帯端末。
【請求項３】
前記第１の表示画面は、前記第２の表示画面の面積より大きく所定サイズの横長画面で、該第１の表示画面の短手方向の辺の長さと該第２の表示画面の何れか一対の辺の長さとが等しく、等しい長さの辺が対向して配される
ことを特徴とする請求項２に記載の携帯端末。
【請求項４】
前記第２の表示画面は、該第２の表示画面の表面にタッチパネルが備えられる
ことを特徴とする請求項３に記載の携帯端末。
【請求項５】
前記表示ユニットに表示される画像は、前記第１の表示画面と前記第２の表示画面とを一つの表示部として見なして連続するように表示される
ことを特徴とする請求項２に記載の携帯端末。
【請求項６】
前記表示ユニットの第１の表示画面と第２の表示画面とは、画面を保護する一枚の保護パネルで覆われる
ことを特徴とする請求項２に記載の携帯端末。
【請求項７】
前記表示ユニットの第１の表示画面と第２の表示画面との間に梁を設け、該梁は前記保護パネルを支持する
ことを特徴とする請求項６に記載の携帯端末。
【発明の詳細な説明】
【技術分野】
【０００１】
本発明は、携帯端末に関し、より詳細には本体ユニットより外形が大きい表示ユニットを回転、チルト可能にし、横長の大画面を備える携帯端末に関する。
【背景技術】
【０００２】
携帯電話やＰＨＳ、ＰＤＡ（Personal Digital Assistant）などの携帯端末における表示画面は大型化している。表示画面の大型化は、長文のメールを見易く表示できることやテレビ放送の映像を受信することへの要求を満たすものである。このため、大型の画面を備える携帯電話の人気は高く、携帯電話各社は画面の大型化に力を入れている。テレビ放送に関しては、2006年4月1日から地上デジタル波の「ワンセグ」による放送が開始され、携帯端末で視聴が可能となってより大型で横長の画面が求められるようになって来ている。
【０００３】
現在販売されている携帯電話の画面サイズで大きなものは２．６から２．７インチであり、画面は横長のものが多くなっている。また、横長画面を視聴する方法として、現在ではおおよそ次の三つの方法が行なわれている。
（１）折り畳んだ表示部を開いた状態のまま、全体を横にして視聴する。
（２）表示部を前後に裏返した後折り畳み、その状態で全体を横にして視聴する。
（３）表示部を本体に対して横に回転させ、本体を縦にして視聴する。
【０００４】
上記の（１）による方法は、本体上にある操作部が横向きとなるので操作性が悪い。また、（２）による方法は操作部が表示部の裏側にあることになり、これも操作性が良いとは言えない。（３）による方法は画面が横でありながら操作部が縦に置かれ、操作性は三つの中で最も良い。
【０００５】
上記の（３）の画面を横に、操作部を縦にする構造として、表示画面を前面に配置した表示部の背面を本体部に重ね、表示部を回転して横になるように支持可能とすると共に、本体部の中に収納している操作部をスライドして引き出す提案がなされている（特許文献１）。
【０００６】
また、操作部を備えた本体部に表示画面を前面に配置した表示部の背面を重ね、表示部を本体部に対して回転可能にするように支軸を設け、さらにこの支軸に直交する方向に表示部を移動可能とする提案がなされている（特許文献２）。
【特許文献１】特開２００６−８０７１３号公報
【特許文献２】特開２００５−１０９９７１号公報
【発明の開示】
【発明が解決しようとする課題】
【０００７】
上記に示したように、携帯端末の表示画面は視認性の点から大型化、横長化の方向にある。そして、地上デジタル波のテレビ放送の開始もあり、携帯端末は更に大型化した横長の画面を備えることが求められている。しかし、一方で携帯端末として小型であることが前提になっており、この前提を踏まえた上で横長大型画面とすることが求められていることになる。
【０００８】
視認性の点から画面は横で、操作性の点から操作部は縦となることが望ましく、このような条件の下で横長大型画面を備える携帯端末を提供することを本発明の目的とする。更にはシネマススコープ（商標登録）サイズの迫力ある映像を視聴できる、より横長の画面を備える携帯端末を提供することも本発明の目的とする。また、常に手で保持しているばかりでなく例えば机の上に置いて視聴することが考えられ、その点を考慮した構造であることも本発明の目的とする。
【課題を解決するための手段】
【０００９】
本発明の携帯端末は以下のように構成される。
（１）第１の発明
第１の発明の携帯端末は、表示ユニットと本体ユニットとヒンジから構成する。表示ユニットは表示画面と第１の操作部とを主面上に配置したもので、本体ユニットは第２の操作部を主面上に配したもの、ヒンジは本体ユニットに配されて表示ユニットを支持するものある。そして、表示ユニットは本体ユニットの外形より大きく、表示ユニットの背面を本体ユニットの主面に重ねて配置され、ヒンジにより回転とチルトを可能とする。本体ユニットの第２の操作部は表示ユニットの回転によって露出されること、を特徴とするものである。
【００１０】
以上の構成により、折り畳まれたときの本発明の携帯端末は表示ユニットと本体ユニットが重なり、表示画面と第１の操作部は表に露出され、本体ユニット上の第２の操作部は表示ユニットの重なった下に隠れた状態にある。表示ユニットをヒンジを支軸として９０度回転させると本体ユニット上に搭載した第２の操作部が現われることになる。また、表示ユニットは本体ユニットより例えば縦長に大きく、大型で横長の表示画面を搭載できる。
【００１１】
第１の操作部は、例えば通話や表示を行なうための最少の機能を持ち、第２の操作部は文字入力キーやファンクションキー等を配置したものである。
（２）第２の発明
第２の発明は、第１の発明の表示画面が第１の表示画面と第２の表示画面の二つの画面から構成することを特徴とするものである。
【００１２】
二つの画面とすることにより、一方をメインの画面、他方をサブの画面とし、例えばメインの画面ではメールのメッセージやテレビ映像を表示し、サブの画面では日時や電波の状態の表示など、表示内容により画面を使い分けて表示できる。
（３）第３の発明
第３の発明は、第２の発明の第１の表示画面が第２の表示画面の面積より大きく所定サイズの横長画面で、第１の表示画面の短手方向の辺の長さと第２の表示画面の何れか一対の辺の長さが等しく、等しい長さの辺が対向して配置される、ことを特徴とするものである。
【００１３】
これにより第１の表示画面と第２の表示画面とを同じ長さの辺を揃えて配置されるので、表示ユニットのスペースを無駄なく表示画面に用いることができる。
（４）第４の発明
第４の発明は、第３の発明の第２の表示画面にタッチパネルが備えられていることを特徴とする。
【００１４】
第２の表示画面にタッチパネルを取り付けることにより、第２の表示画面の表示に加えて入力の機能を備えることができ、操作性の向上を図ることができる。
（５）第５の発明
第５の発明は、第２の発明の表示ユニットに表示される画像は、第１の表示画面と第２の表示画面とを一つの表示部として見なして連続するように表示される、ことを特徴とするものである。
【００１５】
第１の表示画面と第２の表示画面に連続するように表示することで、例えばシネマススコープ（商標登録）の迫力ある映像の表示ができる。
（６）第６の発明
第６の発明は、第２の発明の第１の表示画面と第２の表示画面とを、画面を保護する一枚の保護パネルで覆うことを特徴とするものである。
【００１６】
一枚の保護パネルで覆うことにより、コストの低減が図れると共に、一つの表示画面のようにも見せることができる。
（７）第７の発明
第７の発明は、第６の発明の第１の表示画面と第２の表示画面の間に梁を設け、その梁は保護パネルを支持することを特徴とするものである。
【００１７】
梁を設けることにより、表示画面を堅牢性の高い構造にできる。
【発明の効果】
【００１８】
第１の発明により、本体ユニットより大きい表示ユニットのスペースを使うことで表示画面を大型化した視認性の高い携帯端末の提供がでる。また、回転可能とすることにより本体ユニットの操作部に対して表示画面を横長にでき、高い操作性を得ることができる。また、チルトを可能とするため机上に置いた状態で視聴できるようになる。
【００１９】
第２の発明では、二つの画面とすることにより表示内容により画面を使い分けでき、利便性の高い携帯端末を提供できる。
【００２０】
第３の発明では、第１の表示画面と第２の表示画面とを同じ長さの辺を揃えて配置することにより両画面の一体感を高めることができる。
【００２１】
第４の発明では、タッチパネルを取り付けることにより入力機能を付加でき、操作性の向上を図ることができる。
【００２２】
第５の発明では、第１と第２の表示画面を使って連続するように表示することで、迫力ある映像の表示ができる。
【００２３】
第６の発明では、第１と第２の表示画面を一枚の保護パネルで覆うことにより、コストの低減が図れる。また、一つの表示画面のようにも見せることができる。
【００２４】
第７の発明では、梁を設けることにより、大型の表示画面を備えながら堅牢性の高い構造の携帯端末の提供ができる。
【発明を実施するための最良の形態】
【００２５】
（実施形態その１）
本発明の実施例その１について図１と図２を用いて説明する。実施例その１は第１の発明の携帯端末に対応するもので、本体ユニットより外形形状が大きい表示ユニットを本体ユニットに重ねて配置し、表示ユニットを回転およびチルト可能とするものである。
【００２６】
図１はその例を示し、左より携帯端末１００の正面図、側面図、および背面図を示すものである。正面図では表示ユニット２００の主面が示され、表示画面２１０、第１操作部２２０、受話器２３０、送話器２４０およびカメラ２５０を配置している。この実施例では表示ユニット２００の外形寸法は縦130ｍｍ、横４８ｍｍである。表示画面は液晶で、縦９８ｍｍ、横３８ｍｍの約４インチである。第１操作部２２０は通話や表示の最少の操作を行なうためのもので正面図の左側に突き出すように配置している。側面図により表示ユニット２００が本体ユニット３００に重ねて配置されていることが分かる。さらに、この図において表示ユニット２００は本体ユニット３００外形が大きいことを示している。また、表示ユニット２００上の表示画面２１０等は重ねられた状態において露出されている。右側の背面図では本体ユニット３００に設けられたヒンジ４００が示される（背面から直接見えない部分は破線で示している）。このヒンジ４００は、表示ユニット２００を支持し、表示ユニット２００の回転とチルト可能とする。
【００２７】
図２は、表示ユニット２００の回転とチルトの様子を示したもので、上段の図において表示ユニット２００の上部を左に押すことにより、ヒンジ４００を支軸として９０度の回転が可能である。回転した状態が中段の図である。この状態で表示ユニット２００の上部を手前に倒すことで０度から６０度までのチルトを可能とする。表示ユニット２００を傾けた状態が下段の図に示される。例えば、この状態で机等の上に置けば、常に手で保持することなくテレビの視聴が可能である。
（実施形態その２）
次に、本発明の実施例その２について図３から図８を用いて説明する。実施例その２は第２から第７の発明の携帯端末に対応するもので、表示画面を二つにした例を示すものである。図３は、第１の発明の表示画面２１０に代わって第１表示画面２６０と第２表示画面２７０の二つの画面構成としている。図に示されるように第１表示画面２６０は第２表示画面２７０に較べて外形は大きく、横長（図３の状態では縦長である）画面である。そして、第１表示画面２６０の短手の辺の長さと第２表示画面２７０の１対の辺の長さを等しくし、これらが対向するように配置している。
【００２８】
第１表示画面２６０と第２表示画面２７０とはそれぞれ別個の液晶モジュールを用いて作られている。液晶モジュールを配置した例を図４に示す（図４は、図３における表示ユニット２００を９０度回転した状態である）。即ち、第１表示画面２６０は液晶モジュール２６１を、第２表示画面２７０は液晶モジュール２７１を用いて作られている。例えば液晶モジュール２６１は、プリント基板２６２上に液晶パネル２６３と表示画像を駆動するドライバーＩＣ２６４を搭載している。図４に示すようにプリント基板２６２上のドライバーＩＣ２６４は一つの短手辺の領域に配置し、対向する短手辺の領域は液晶パネル２６３の端部となるように配置している。液晶モジュール２７１も同様にプリント基板２７２上に液晶パネル２７３とドライバーＩＣ２７４とを配置している。
【００２９】
液晶モジュール２６１と液晶モジュール２７１は互いにドライバーＩＣ２６４、２７４を搭載していない辺を向き合わせて（ドライバーＩＣ２６４およびドライバーＩＣ２７４を搭載している辺は互いに反対方向の位置することになる）配置している。こうすることにより、第１表示画面２６１と第２表示画面２７１をより接近させて配置できる。
【００３０】
次に保護パネルについて説明する。第１表示画面２６０と第２表示画面２７０の表面には一枚の保護パネルで覆われ、その構造を図５に示す。図５の上段は図４と同様に図３における表示ユニット２００を９０度回転した状態の図で、下段は上段の表示ユニット２００のＡ−Ａ’断面を示した図である。下段の図において、保護パネル２８０の端部下面に形成した段差を表示ユニット２００の表示画面部分に形成した段差に合わせて接着剤で固着している。保護パネル２８０は厚さが０．５ｍｍから１ｍｍで、材質はアクリルまたはポリカーボネイトで透明である。
【００３１】
表示ユニット２００には携帯端末のプリント基板５３０が支持体５２０により支持され、そのプリント基板５３０の上に液晶モジュール２６１、２７１が搭載される。
【００３２】
液晶モジュール２６１、２７１の間には梁５００を設け、この梁５００の上部が保護パネル２８０を支持している。この梁５００は例えば、２ｍｍ幅の樹脂、あるいは０．５ｍｍから１ｍｍ幅のマグネシュウム合金等で材料で作られる。梁５００を設けたことにより携帯端末１００は堅牢な構造になる。梁５００の上部は二つの液晶モジュール２６１、２７１の継ぎ目を隠すためのカバー５１０を保護ハネル２８０の裏面に接着剤で貼り付けている。このカバー５１０は目立たないように黒色または黒色に近い暗色に着色している。また、保護パネル２８０は裏面から画面枠２８１を例えば印刷により形成している。この画面枠２８１は液晶パネル２６２、２７２の端部を隠すためと、第１表示画面２６０と第２表示画面２７０とを一つの画面に見えるようにするためのもので、一つの矩形の枠線あるいは矩形の枠を形成している。
【００３３】
第２表示画面２７０上にタッチパネルを配置するようにしてもよい。この場合は、保護バネル２８０の第２表示画面２７０の位置に対応する部分をタッチパネルとなる構造にする。タッチパネルの構造は従来技術を用い、第２表示画面２７０にファンクションキーに相当する画像を表示し、タッチパネルの入力と連動するようにすれば操作性は向上する。例えば、テレビのチャンネルや音量調整等の操作に利用できる。
【００３４】
なお、図５の上段に示されるように、第１操作部２２０は表示ユニット２００を左に９０度回転したことにより中央に位置するようにしている。本体ユニットの第２操作部とこの第１操作部２２０とを合わせて各種の操作に用いることができる。
【００３５】
続いて、二つの表示画面を用いて一つの映像を連続しているように表示する例を説明する。図６は、テレビ映像等を第１表示画面２６０と第２表示画面２７０とが連続しているように表示している（保護カバー２８０の部分は映像が隠れることになる）。このように表示するため、第１表示画面２６０と第２表示画面２７０の色調や輝度は略同一であるようにしている。超横長の画面が表示できるため迫力ある映像を楽しむことができる。
【００３６】
次に、回転とチルトを可能とするヒンジ４００について説明する。図７は本体ユニット３００に取付け、表示ユニット２００に対して回転とチルトができるヒンジ４００を示している。右の図は表示ユニット２００を外して本体ユニット３００に取り付けられた回転機構４１０を示している。この実施例では０度から左に９０度、また９０度から右に０度までの回転を可能とする。左の図はチルト機構４２０を示している。この実施例では０度から６０度、また６０度から０度までの間のチルトを可能とする。ヒンジ４００はこの回転機構４１０とチルト機構４２０とを一体化して作られている。
【００３７】
携帯端末１００の表示ユニット２００を左に９０度回転し、４５度に傾け水平に置いた状態を図８に示す。携帯端末１００が置かれた台は例えば机６００であり、表示ユニット２００の外形の略中心位置から鉛直方向に降ろした机の位置に対して、本体ユニット３００の上端の位置を長くしている（即ち、Ｌ＞０ｍｍとなるように本体ユニット３００に設置したヒンジ４００の位置を定めている）。このようにすることにより、表示ユニット２００を傾けたときに表示ユニット２００の重さで携帯端末１００が倒れることを防いでいる。
【００３８】
上の実施例に関し、さらに以下の付記を開示する。
（付記１）
表示画面と第１の操作部とを主面上に配した表示ユニットと、
第２の操作部を主面上に配した本体ユニットと、
前記本体ユニットに配され、前記表示ユニットを支持するヒンジとを備え、
前記表示ユニットは前記本体ユニットの外形より大きく、該表示ユニットの背面を前記本体ユニットの主面に重ねて配置され、前記ヒンジにより回転とチルトとを可能とし、該本体ユニットの第２の操作部は該表示ユニットの回転により露出されること
を特徴とする携帯端末。
（付記２）
前記表示ユニットの表示画面は、第１の表示画面と第２の表示画面の二つの表示画面から構成する
ことを特徴とする付記１に記載の携帯端末。
（付記３）
前記第１の表示画面は、前記第２の表示画面の面積より大きく所定サイズの横長画面で、該第１の表示画面の短手方向の辺の長さと該第２の表示画面の何れか一対の辺の長さとが等しく、等しい長さの辺が対向して配される
ことを特徴とする付記２に記載の携帯端末。
（付記４）
前記第２の表示画面は、該第２の表示画面の表面にタッチパネルが備えられる
ことを特徴とする付記３に記載の携帯端末。
（付記５）
前記表示ユニットに表示される画像は、前記第１の表示画面と前記第２の表示画面とを一つの表示部として見なして連続するように表示される
ことを特徴とする付記２に記載の携帯端末。
（付記６）
前記表示ユニットの第１の表示画面と第２の表示画面とは、画面を保護する一枚の保護パネルで覆われる
ことを特徴とする付記２に記載の携帯端末。
（付記７）
前記表示ユニットの第１の表示画面と第２の表示画面との間に梁を設け、該梁は前記保護パネルを支持する
ことを特徴とする付記６に記載の携帯端末。
（付記８）
前記表示ユニットが９０度に回転されたとき、前記第１の操作部は、該回転によって露出された前記本体ユニットの第２の操作部の上部中央に位置する
ことを特徴とする付記１に記載の携帯端末。
（付記９）
前記表示ユニットが９０度に回転され４５度のチルトの状態にあるとき、前記本体ユニットの上方の一端は少なくとも該表示ユニットの外形中心の鉛直位置より上方にある
ことを特徴とする付記１に記載の携帯端末。
（付記１０）
前記表示ユニットの第１の表示画面と第２の表示画面とは、一つの表示部として見なせるように色調、輝度をほぼ同一である
ことを特徴とする付記２に記載の携帯端末。
（付記１１）
前記保護パネルは透明で、該保護パネルの裏側に前記第１の表示画面と前記第２の表示画面とを合わせて一つの表示部として見なせるように矩形の枠線、または枠が形成される
ことを特徴とする付記６に記載の携帯端末。
（付記１２）
前記梁の保護パネルの支持部分と前記保護パネルとの間に所定幅のカバーを設け、該カバーは黒色または該黒色に近い暗色である
ことを特徴とする付記６に記載の携帯端末。
（付記１３）
前記第１の表示画面の表示画面モジュールは短手方向の一つの辺にドライバーが搭載され、前記第２の表示画面の表示画面モジュールは該短手方向の辺の長さに等しい一つの辺にドライバーが搭載され、該第１と第２の表示画面の表示モジュールはドライバーが搭載されない辺を接近させて配される
ことを特徴とする付記３に記載の携帯端末。
【図面の簡単な説明】
【００３９】
【図１】携帯端末の実施例（その１）である。
【図２】表示ユニットの回転とチルト例である。
【図３】携帯端末の実施例（その２）である。
【図４】液晶モジュールの配置例である。
【図５】保護パネルと梁の配置例である。
【図６】二つの表示画面に対する連続表示例である。
【図７】ヒンジ例である。
【図８】表示ユニットのチルトと本体ユニットの上方端長さの例である。
【符号の説明】
【００４０】
１００  携帯端末
２００  表示ユニット
２１０  表示画面
２２０  第１操作部
２３０  受話器
２４０  送話器
２５０  カメラ
２６０  液晶モジュール
２６１  プリント基板
２６２  液晶パネル
２６３  ドライバーＩＣ
２７０  液晶モジュール
２７１  プリント基板
２７２  液晶パネル
２７３  ドライバーＩＣ
２８０  保護カバー
２８１  枠線
３００  本体ユニット
４００  ヒンジ
４１０  ヒンジ回転機構
４２０  ヒンジチルト機構
５００  梁
５１０  カバー
５２０  支持体
５３０  プリント基板
６００  机
【図１】
2008099019.tif 000003
【図２】
2008099019.tif 000004
【図３】
2008099019.tif 000005
【図４】
2008099019.tif 000006
【図５】
2008099019.tif 000007
【図６】
2008099019.tif 000008
【図７】
2008099019.tif 000009
【図８】
2008099019.tif 000010